(57)【特許請求の範囲】
【請求項１】
文字・記号などの表示意匠部が列状に並んだインジケータ表示部を有した表示板と、前記インジケータ表示部の裏面側に配置され、透過性材料で形成された平板状の導光体と、前記インジケータ表示部の前記各意匠表示部にそれぞれ対応し、前記導光体の背後に配置されるインジケータ用光源と、前記導光体の端部に設けられた受光部に光を入射可能に配置される導光体用光源と、前記インジケータ用光源と前記導光体用光源とを隔離し、かつ前記インジケータ表示部の各部を表示するための仕切り壁部を有し前記導光体および前記表示板を載置可能に配設するケース体と、を備え、前記導光体用光源からの光を前記導光体内に導いて前記インジケータ表示部を透過照明する表示装置において、
前記表示意匠部が列状に並んだ前記インジケータ表示部の少なくとも一方の列方向の端部側において、前記受光部の直下に前記導光体用光源を配置し、前記受光部と前記導光体用光源に隣り合う前記仕切り壁部との間における前記導光体の背面へ照射される前記導光体用光源からの光を遮るように、前記導光体用光源に隣り合う前記仕切り壁部に、前記導光体の前記受光部に向けて突出した遮光壁部を設けてなることを特徴とする表示装置。
【請求項２】
文字・記号などの表示意匠部が列状に並んだインジケータ表示部を有した表示板と、前記インジケータ表示部の裏面側に配置され、透過性材料で形成された平板状の導光体と、前記インジケータ表示部の前記各意匠表示部にそれぞれ対応し、前記導光体の背後に配置されるインジケータ用光源と、前記導光体の端部に設けられた受光部に光を入射可能に配置される導光体用光源と、前記インジケータ用光源と前記導光体用光源とを隔離し、かつ前記インジケータ表示部の各部を表示するための仕切り壁部を有し前記導光体および前記表示板を載置可能に配設するケース体と、を備え、前記導光体用光源からの光を前記導光体内に導いて前記インジケータ表示部を透過照明する表示装置において、
前記表示意匠部が列状に並んだ前記インジケータ表示部の少なくとも一方の列方向の端部側において、前記受光部の直下に前記導光体用光源を配置し、前記導光体用光源に隣り合う前記仕切り壁部の前記インジケータ用光源側且つ前記導光体側に、前記導光体用光源と前記仕切り壁部を隔てて隣接する前記インジケータ用光源に対応する前記表示意匠部を透過照明する前記導光体からの光を抑制する透き間を設けてなることを特徴とする表示装置。
【請求項３】
前記表示意匠部が列状に並んだ前記インジケータ表示部の少なくとも一方の列方向の端部側において、前記受光部の直下に前記導光体用光源を配置し、前記受光部と前記導光体用光源に隣り合う前記仕切り壁部との間における前記導光体の背面へ照射される前記導光体用光源からの光を遮るように、前記導光体用光源に隣り合う前記仕切り壁部に、前記導光体の前記受光部に向けて突出した遮光壁部を設けてなり、
前記遮光壁部と、前記透き間部は、同一の前記仕切り壁部に設けてなることを特徴とする請求項２に記載の表示装置。
【請求項４】
前記ケース体には、前記表示板を載置する載置面部が設けられるとともに、前記導光体を前記ケース体上に載置するため前記載置面部より前記導光体の肉厚寸法の厚み分を凹ませてなる凹設部が設けられていることを特徴とする請求項１から請求項３のいずれかに記載の表示装置。
【請求項５】
前記導光体には、導光体の周縁箇所の適所に前記ケース体側に位置決め保持する位置決め部を設け、前記ケース体には、前記位置決め部に対応する前記凹設部箇所に位置合わせ部を設けてなることを特徴とする請求項４に記載の表示装置。
【発明の詳細な説明】
【技術分野】
【０００１】
本発明は、例えば自動車やオートバイ、建設機械、農耕機械などの車両に搭載される計器装置などにおけるギアポジションなどを表示する表示装置に関する。 
【背景技術】
【０００２】
従来の車両などに搭載される計器装置として、速度計や回転計などの指針式の指示計器の前面側に配置される表示板（表示パネル）と、前記指示計器を実装する硬質材料からなる回路基板と、この回路基板の前面側に配置され、前記表示板（表示パネル）を載置する樹脂材料からなる枠状のケース体と、このケース体の前面側に配置され、少なくとも前記表示板（表示パネル）の表示領域となる前面が透視可能な樹脂材料からなる前面透視カバーパネル部材と表示板（表示パネル）の表示領域を仕切る見返しパネル部材とからなる上ケース（前面側ケース）と、前記ケース体と前記回路基板とを覆う樹脂材料からなる下ケース（背後側ケース）と、を備えてなる計器装置を構成している。 
【０００３】
また、このような計器装置には、特許文献１や特許文献２などに示すように、車両などのギアシフト位置を知らせるための表示装置が表示板（表示パネル）上に設けられている。この際、夜間などにおいては、ギアポジション（Ｐ・Ｒ・Ｎ・Ｄ・１・２）などの表示部の全体が読み取れるように、表示部が施された表示板の背後に導光体を配置し、この導光体に、光源からの光を受け入れて表示部をそれぞれ透過照明するようにしている。 
【０００４】
またギアシフト位置（ギアポジション位置）に合わせて、その表示部箇所のそれぞれの背後には、光源が設けられ、これらの光源からの光が互いに影響しないように、それぞれを仕切り壁部によって略筒状に覆うように設けている。そして、ギアシフト操作による変速機の選択操作に伴い、そのギアポジション位置に該当する光源（例えばランプやＬＥＤなど）が点灯して、選択したシフト位置の表示部箇所のみが明るく点灯表示される。 
【先行技術文献】
【特許文献】
【０００５】
【特許文献１】特開平８−１６０８９０号公報
【特許文献２】特開２００４−１０６６６２号公報
【発明の開示】
【発明が解決しようとする課題】
【０００６】
ところで、前述した特許文献１や特許文献２などにおける表示装置においては、ギアポジション（Ｐ・Ｒ・Ｎ・Ｄ・１・２）位置の全体を照明表示する場合、仕切り壁によって筒状に覆われて列状に配置したギアポジション位置の左右側方に位置した箇所に光源などを設置し、導光体の両側端部に設けた各反射面を介して表示板面上の表示部を照らし出すように構成しているが、枠状に仕切られた表示装置の壁部の外側においては、照明用の光源を含む表示装置の占有する照明用としてのスペースを確保する必要がある。このため、計器装置をコンパクトにまとめあげようとすると、表示装置の専有面積が広くなってしまうという問題点がある。 
【０００７】
この点を考慮するものとして、列状に配置したギアポジション表示の列方向の両端部箇所に光源を設置することにより、表示装置のスリム化を図ることができ、これにより表示装置の小型化をねらいにすることが考えられる。 
【０００８】
しかしながら、小型化が可能となるにしても、列状に配置したギアポジションの列方向端部（片側もしくは両側の端部）に光源を設置する構成を採用するため、光源に近い箇所の表示部箇所は明るくなりやすく、光源から離れた箇所では導光体内にて照射導光する光線が反射を繰り返して表示部箇所を照らし出すようにしているために、光源に近い箇所に比べて明るさが落ちてしまいやすく、結果として表示板の全体の明るさを均一的には照明することができないことがある。 
【０００９】
そこで本発明は、前述の問題点に着目し、表示装置のスペースをコンパクトにしつつ、均一的な照明を可能とする照明装置を提供することを目的とするものである。 
【課題を解決するための手段】
【００１０】
本発明は前述した課題を解決するため、請求項１では、文字・記号などの表示意匠部が列状に並んだインジケータ表示部を有した表示板と、前記インジケータ表示部の裏面側に配置される透過性材料で形成される平板状の導光体と、前記インジケータ表示部の前記各意匠表示部にそれぞれ対応し、前記導光体の背後に配置されるインジケータ用光源と、前記導光体の受光部に光を入射可能に配置される導光体用光源と、前記インジケータ用光源と前記導光体用光源とを隔離し、かつ前記インジケータ表示部の各部を表示するための仕切り壁部を有し前記導光体および前記表示板を載置可能に配設するケース体と、を備え、前記導光体用光源からの光を前記導光体内に導いて前記インジケータ表示部を透過照明する車両用表示装置において、前記インジケータ表示部の少なくとも一方の列方向の端部側において、前記受光部の直下に前記導光体用光源を配置し、前記導光体用光源に隣り合う前記仕切り壁部の前記導光体用光源より上方に、前記導光体光源から前記導光体へ照射される光を抑制するように、前記導光体の前記受光部に向けて突出した遮光壁部を設けたことを特徴とする表示装置である。 
【００１１】
このように構成することにより、導光体の受光部に隣接するケース体には、文字・記号などの表示意匠部が列状に並んだインジケータ表示部の少なくとも一方の列方向の端部側に設けられた仕切り壁部の前記導光体用光源より上方に一体に遮光壁部を前記導光体の前記受光部に向けて突出して形成してなることにより、導光体用光源からの前記導光体へ照射される照射光線が遮光壁部にて遮られるために、インジケータ表示部の輝度ムラの発生を抑制することができ、均一的な照明効果を得ることができるものであり、また表示意匠部が列状に並んだインジケータ表示部の列方向の端部側に設けられたケース体の仕切り壁部と一体に遮光壁部を形成してなることにより、表示装置のスペースをコンパクトにしつつ、部品点数を追加することなく光量を制御する遮光壁部を設けることができ、コストを抑えながら組み付け作業性も良好に行うことができる。 
【００１２】
また請求項２では、文字・記号などの表示意匠部が列状に並んだインジケータ表示部を有した表示板と、前記インジケータ表示部の裏面側に配置され、透過性材料で形成された平板状の導光体と、前記インジケータ表示部の前記各意匠表示部にそれぞれ対応し、前記導光体の背後に配置されるインジケータ用光源と、前記導光体の端部に設けられた受光部に光を入射可能に配置される導光体用光源と、前記インジケータ用光源と前記導光体用光源とを隔離し、かつ前記インジケータ表示部の各部を表示するための仕切り壁部を有し前記導光体および前記表示板を載置可能に配設するケース体と、を備え、前記導光体用光源からの光を前記導光体内に導いて前記インジケータ表示部を透過照明する表示装置において、前記表示意匠部が列状に並んだ前記インジケータ表示部の少なくとも一方の列方向の端部側において、前記受光部の直下に前記導光体用光源を配置し、前記導光体用光源に隣り合う前記仕切り壁部の前記インジケータ用光源側且つ前記導光体側に、前記導光体用光源と前記仕切り壁部を隔てて隣接する前記インジケータ用光源に対応する前記表示意匠部を透過照明する前記導光体からの光を抑制する透き間を設けてなることを特徴とする表示装置である。
【００１３】
このように構成することにより、導光体の受光部に隣接するケース体には、文字・記号などの表示意匠部が列状に並んだインジケータ表示部の少なくとも一方の列方向の端部側に設けられた仕切り壁部の前記導光体用光源に隣り合う前記仕切り壁部の前記インジケータ用光源側且つ前記導光体側に透き間を設けてなることにより、前記導光体用光源と前記仕切り壁部を隔てて隣接する前記インジケータ用光源に対応する前記表示意匠部を透過照明する前記導光体からの光を抑制することができ、表示板に設けた表示意匠部が部分的に明るくなりすぎることを未然に解消し、均一的な照明効果を得ることができるものである。
【００１４】
また請求項３では、請求項２に記載の表示装置に、前記インジケータ表示部の少なくとも一方の列方向の端部側において、前記受光部の直下に前記導光体用光源を配置し、前記導光体用光源に隣り合う前記仕切り壁部の前記導光体用光源より上方に、前記導光体光源から前記導光体へ照射される光を抑制するように、前記導光体の前記受光部に向けて突出した遮光壁部を設け、前記遮光壁部と、前記透き間部は、同一の前記仕切り壁部に設けてなることを特徴とするものである。
【００１５】
このように構成することにより、表示装置のスペースをコンパクトにしつつ、部品点数を追加することなく導光体用光源からの前記導光体へ照射される照射光線の光量を制御し、且つ、表示板に設けた表示意匠部が部分的に明るくなりすぎることを未然に解消し、均一的な照明効果を得ることができる。
【００１６】
また請求項４では、請求項１から請求項３のいずれかに記載の表示装置において、前記ケース体には、前記表示板を載置する載置面部が設けられるとともに、前記導光体を前記ケース体上に載置するため前記載置面部より前記導光体の肉厚寸法の厚み分を凹ませてなる凹設部が設けられていることを特徴とするものである。 
【００１７】
このように構成することにより、ケース体に設けた凹設部に導光体を簡単にセットすることができるとともに、表示板とケース体との間に導光体を挟着保持することができる。  
【００１８】
また請求項５では、請求項４に記載の表示装置において、前記導光体には、導光体の周縁箇所の適所に前記ケース体側に位置決め保持する位置決め部を設け、前記ケース体には、前記位置決め部に対応する前記凹設部箇所に位置合わせ部を設けてなることを特徴とするものである。 
【００１９】
このように構成することにより、ケース体の凹設部箇所に設けられた位置合わせ部に、導光体の位置決め部を位置合わせしつつ組み付け保持することにより、組み付けの向きも適正な状態にてセットすることが可能となり、簡単に所定の位置に組み付け保持することができる。 
【発明の効果】
【００２０】
本発明による表示装置においては、文字・記号などの表示意匠部が列状に並んだインジケータ表示部を有した表示板と、前記インジケータ表示部の裏面側に配置される透過性材料で形成される平板状の導光体と、前記インジケータ表示部の前記各意匠表示部にそれぞれ対応し、前記導光体の背後に配置されるインジケータ用光源と、前記導光体の受光部に光を入射可能に配置される光源と、前記インジケータ用光源と前記光源とを隔離し前記インジケータ表示部の各部を表示するための仕切り壁部を有し前記導光体および前記表示板を載置可能に配設するケース体と、を備え、前記光源からの光を前記導光体内に導いて前記インジケータ表示部を透過照明する表示装置において、前記インジケータ表示部の少なくとも一方の列方向の端部側において、前記受光部の直下に前記光源を配置し、前記ケース体には、前記導光体用光源から発光される光が前記導光体の光路中に進入することを防ぐ遮光壁部を前記インジケータ用光源と前記導光体用光源とを隔離する前記仕切り壁部に設けてなることを特徴とする表示装置であるため、導光体の受光部に隣接するケース体には、文字・記号などの表示意匠部が列状に並んだインジケータ表示部の少なくとも一方の列方向の端部側に設けられた前記仕切り壁部と一体に遮光壁部を形成してなることにより、光源からの照射光線が遮光壁部にて遮られるために、インジケータ表示部の輝度ムラの発生を抑制することができ、均一的な照明効果を得ることができるものであり、また表示意匠部が列状に並んだインジケータ表示部の列方向の端部側に、ケース体の仕切り壁部と一体に遮光壁部を形成することができるため、表示装置のスペースをコンパクトにしつつ、部品点数を追加することなく光量を制御する遮光壁部を設けることができ、コストを抑えながら組み付け作業性も良好に行うことができるものであり、初期の目的を達成することができる。 
【図面の簡単な説明】
【００２１】
【図１】図１は、本発明の第１の実施形態である計器装置における表示装置を示す正面図である。
【図２】図２は、図１のＡ−Ａ線箇所の要部を示す断面図である。
【図３】図３は、図１のＢ−Ｂ線箇所の要部を示す断面図である。
【図４】図４は、本発明の第１の実施形態である表示装置の要部を示す分解斜視図である。
【図５】図５は、本発明の第２の実施形態である表示装置を示す断面図である。
【図６】図６は、本発明の第２の実施形態である表示装置の要部を示す分解斜視図である。
【発明を実施するための最良の形態】
【００２２】
図１から図４は本発明の第１の実施形態を示すもので、以下、これらに基づいて本発明の実施形態をたとえば自動車に搭載される計器装置におけるギアポジションなどを表示する表示装置を例にして説明する。 
【００２３】
同図において、本実施形態による自動車に搭載される計器装置としては、速度計、回転計、燃料計、水温計などの指針式の指示計器１０の前面側に配置される表示板２０と、指示計器２０の計器本体１１を実装する硬質材料からなる回路基板３０、この回路基板３０の前面側に配置され、表示板２０を載置する樹脂材料からなる枠状のケース体４０と、このケース体４０の前面側に配置され、少なくとも前面が透視可能な樹脂材料からなる透視カバーパネル部材５１と表示板２０の表示領域を仕切る見返しパネル部材５２とからなる前面側ケースである上ケース５０と、ケース体４０と回路基板３０とを覆う樹脂材料からなる下ケース６０（背後側ケース）と、を備えて全体の計器装置を構成している。 
【００２４】
この場合、速度計や回転計、燃料計、水温計などの各種情報を表示する各指示計器１０にあっては、回路基板３０の背後側に各指示計器１０の一部を構成する計器本体１１、例えば可動磁石式計器またはステッピングモータなどからなる計器本体１１がそれぞれ組み付け固定されており、この各計器本体１１に設けられた指針軸１２の先端側に、指針軸１２を軸芯として回転する指針１３がそれぞれ圧入固定されている。 
【００２５】
また本実施形態にあっては、車両に搭載される計器装置などにおけるギアポジションを表示する表示装置７０が表示板２０（表示パネル）上に設けられている。 
【００２６】
ギアポジションを表示する表示装置７０としては、文字・記号などの表示意匠部２１が列状に並んだインジケータ表示部２２を有した表示板２０と、この表示板２０の背後に配置され、透過性材料で形成された平板状の導光体８０と、その導光体８０の背後に配置され、インジケータ表示部２２の各表示意匠部２１にそれぞれ対応して設けられたインジケータ用光源９０と、導光体８０の端部に設けられた受光部８１に光を入射可能とする導光体用光源９１と、から構成されている。 
【００２７】
表示板２０自体は、０．５ミリ程度の合成樹脂製からなるシート状の基板、例えばポリカーボネート樹脂の基板からなり、このシート状の樹脂基板からなる表示板２０には、上述したようにギアポジションなどを表示する文字・記号などの表示意匠部２１が印刷などの手段によって形成されている。また、表示板２０上には、計器装置１０の指針１３の指示と対比判読するための目盛や数字や記号などからなる表示部（指標部）２３が印刷などの手段によって形成されている。 
【００２８】
また回路基板３０は、たとえばガラスエポキシ系基材に配線パターン（図示せず）を施した硬質回路基板からなり、計器本体１１の駆動・制御を行う駆動手段（図示せず）や、たとえば抵抗、コンデンサ等の各種電子部品が前記配線パターンに導通接続されているとともに、ギアポジションなどを表示する表示装置７０の表示板２０上に設けられた表示意匠部２１を透過照明する発光ダイオードからなるインジケータ用光源９０と導光体用光源９１とが実装されている。なお、回路基板３０上には、枠状のケース体４０内に臨んで表示板２０上に指示計器１０の目盛部や数字などの表示部２３を透過照明するための光源９２と、指針１３を発光照明するための指針用光源９３とが実装されている。 
【００２９】
またケース体４０は、全体が略枠状に形成され、白色系の合成樹脂材料によって例えば速度計、液面計、水温計などの指示計器１０を構成する部品を支持したり、表示装置７０を構成する部品を支持するために枠状の側壁部４１と、この側壁部４１の中程をそれぞれ繋ぐように設けられた水平壁部４２によって全体が枠状に形成され、その枠状に形成されたケース体４０の水平壁部４２は表示板２０を載置する載置面部として形成されている。 
【００３０】
またケース体４０には、ケース体４０の載置面部、すなわち水平壁部４２を基準として表示装置７０の部品の一部を構成する導光体８０の形状に倣って載置面部である水平壁部４２より導光体８０の肉厚寸法の厚み分を凹ませてなる凹設部４３が形成されている。 
【００３１】
凹設部４３箇所の背面側には、それぞれのインジケータ用光源９０と導光体用光源９１とを隔離し、かつ表示意匠部２１が列状に並んだインジケータ表示部２２の各部を表示するために四角形状からなる筒状に仕切られた仕切り壁部４４によってインジケータ用光源９０から発せられる光が他の表示意匠部２１側へと洩れないように形成されている。 
【００３２】
また表示板２０上の表示意匠部２１が列状に並んだインジケータ表示部２２の背後側には、平板状の合成樹脂材料からなる導光体８０が配置されており、この導光体８０の端部側に設けられた受光部８１箇所の上面側に傾斜面からなる反射部８２が形成され、受光部８１の真下に位置した回路基板３０上には導光体用光源９１が半田付けなどの手段によって実装されている。 
【００３３】
またケース体４０には、導光体用光源９１から発光される光が導光体８０の光路中に進入することを防ぐ遮光壁部４５がインジケータ用光源９０と導光体用光源９１とを隔離する仕切り壁部４４ａから一体に導光体８０の受光部８１方向に向けて水平方向に延びるように形成されている。この際、遮光壁部４５の上面側と導光体８０の背面側との間には、透き間Ｓが設けられている。 
【００３４】
また本実施形態においては、導光体８０には、導光体８０の周縁箇所の適所にケース体４０側に位置決め保持する位置決め部８３が突き出し形成され、ケース体４０には、導光体８０の位置決め部８３に対応する凹設部４３箇所に位置合わせ部４６が設けられている。 
【００３５】
また導光体８０の表面側には、少なくとも表示板２０の表示意匠部２１箇所に合わせて光が拡散可能な細かい凹凸部８４が設けられている。 
【００３６】
なお、上ケース５０の一部を構成する透視カバーパネル部材５１は、例えば透明な合成樹脂からなり、表示板２０上の表示部２１領域が透視できるように設けられている。 
【００３７】
また上ケース５０の一部を構成する見返しパネル部材５２は、例えば黒色の合成樹脂からなり、表示板２０上の表示部２１領域を視認可能となるように枠状に仕切るように設けられている。 
【００３８】
また下ケース６０は、例えば合成樹脂からなり、回路基板３０の背後とケース体４０の外周面側を覆うように有底枠状に形成されている。 
【００３９】
このように構成された第１の実施形態おける表示装置については、以下のように組み付けが行われる。 
【００４０】
まず最初に電機部品などが組み付け実装された回路基板３０を下ケース６０を基準にしてセットする。 
【００４１】
次いで、ケース体４０の前面側の載置面部となる水平壁部４２から導光体８０の肉厚寸法の厚み分を凹ませて設けた凹設部４３によって、ケース体４０に設けた凹設部４３に導光体８０を簡単にセットすることができるものであり、また表示板２０をケース体４０の載置面部となる水平壁部４２にセットすると同時に、表示板２０とケース体４０との間に導光体８０を簡単に挟着保持することができる。 
【００４２】
この際、ケース体４０の凹設部４３箇所に設けられた位置合わせ部４６に、導光体８０の位置決め部８３を位置合わせしつつ組み付け保持することにより、組み付けの向きも誤ることなく適正な状態にてセットすることが可能となり、簡単に所定の位置に組み付け保持することができる。 
【００４３】
また、夜間などの照明時においては、導光体用光源９１が点灯すると、文字・記号などの表示意匠部２１が列状に並んだインジケータ表示部２２の端部側に設けられた仕切り壁部４４ａと一体に遮光壁部４５を形成してなることにより、導光体用光源９１からの照射光線が遮光壁部４５にて遮られるために、インジケータ表示部２２の輝度ムラの発生を抑制することができ、均一的な照明効果を得ることができる。 
【００４４】
また表示意匠部２１が列状に並んだインジケータ表示部２２の両側の端部側に設けられたケース体４０の仕切り壁部４４ａと一体に遮光壁部４５を形成することにより、表示装置７０を正面視したときに投影面積が従来に比べて狭いスペースにて設定することが可能となり、これにより表示装置７０のスペースをコンパクトに抑えつつ、個別に部品点数を追加することなく光量を制御する遮光壁部（遮光部材）を設けることができ、コストを抑えながら組み付け作業性も良好に行うことができる。 
【００４５】
また、本実施形態にあっては、導光体８０の受光部８１から入光した光線が遮光壁部４５と対向する導光体８０との間に透き間Ｓが設けられることによって遮光壁部４５の内面部分にて表示板２０側に反射導光する光量が抑えられるため、表示板２０に設けた表示意匠部２１が部分的に明るくなりすぎることを未然に解消することができ、均一的に照明表示することができる。この際、導光体８０内に案内されてきた光線は、導光体８０の表面に形成された細かい凹凸部８４によって拡散されながら表示板２０の表示意匠部２１箇所へと照射することとなり、表示意匠部２１箇所を均一的に照らし出すことができる。 
【００４６】
また、導光体用光源９１の点灯によって列状に並んだ表示意匠部２１全体（インジケータ表示部２２）が照らし出されると同時に、ギアシフト操作による変速機の選択操作に伴い、そのギアポジション位置に該当するインジケータ用光源９０が点灯して、選択したシフト位置の表示部箇所（表示意匠部２１）のみが明るく点灯表示される。 
【００４７】
なお、夜間などの照明時においては、指針１３を発光照明するための指針照明用の光源９３が発光すると、その照明光は表示板２０の貫通孔を通じて指針１３の基部側へと導光案内され、次いでその基部側から指示部へと導かれることにより、指針１３の指示部が照明される。 
【００４８】
また、指針１３の照明と同時に、表示部照明用の光源９２が発光すると、その照明光はケース体４０に設けられた反射壁部４７などによって反射され、この反射された光が表示板２０の表示部２３箇所へと導かれることにより、表示板２０の表示部２３が明るく透過照明される。 
【００４９】
また、図５および図６は、本発明の第２の実施形態を示すものであり、前述した図１から図４に示す第１の実施形態とほぼ同様に形成されている。この第２の実施形態にあっては、前述した第１の実施形態と同様にして、ギアポジションを表示する表示装置７０として、文字・記号などの表示意匠部２１が列状に並んだインジケータ表示部２２を有した表示板２０が設けられている。 
【００５０】
またケース体４０には、ケース体４０の載置面部、すなわち水平壁部４２を基準として表示装置７０の部品の一部を構成する導光体８０ａの形状に倣って載置面部である水平壁部４２より導光体８０ａの肉厚寸法の厚み分を凹ませてなる凹設部４３が形成されている。 
【００５１】
凹設部４３箇所の背面側には、それぞれのインジケータ用光源９０と導光体用光源９１とを隔離し、かつ表示意匠部２１が列状に並んだインジケータ表示部２２の各部を表示するために四角形状からなる筒状に仕切られた仕切り壁部４４，４４ａによってインジケータ用光源９０から発せられる光が他の表示意匠部２１側へと洩れないように形成されている。 
【００５２】
また表示板２０上の表示意匠部２１が列状に並んだインジケータ表示部２２の背後側には、略平板状の導光体８０ａが配置されており、この導光体８０ａの両側の端部側に導光体用光源９１側に向けて垂れ下がり形成された受光部８１ａが導光体８０ａから一体に形成され、この受光部８１ａ箇所の上面側に傾斜面からなる反射部８２ａが形成されている。
【００５３】
またケース体４０には、導光体用光源９１から発光される光が導光体８０ａの光路中に進入することを防ぐ遮光壁部４５がインジケータ用光源９０と導光体用光源９１とを隔離する仕切り壁部４４ａから一体に導光体８０の受光部８１方向に向けて水平方向に延びるように形成されている。この際、遮光壁部４５の上面側と導光体８０ａの背面側との間には、透き間Ｓ１が設けられている。この実施形態における透き間Ｓ１としては表示板２０の表示意匠部２１側へと反射導光する光線をさらに抑えるために、表示板２０の背面と遮光壁部４５の表面側との距離が漸次変化するように透き間Ｓ１の間隔を徐々に広がるように設定している。 
【００５４】
また本実施形態においては、導光体８０ａには、導光体８０ａの周縁箇所の適所にケース体４０側に位置決め保持する位置決め凹部８３ａが２箇所設けられ、ケース体４０には、導光体８０ａの位置決め凹部８３ａに対応する凹設部４３箇所に凸状の位置合わせ部４６ａが設けられている。 
【００５５】
また導光体８０ａの表面側には、少なくとも表示板２０の表示意匠部２１箇所に合わせて細かい凹凸部８４ａが設けられている。 
【００５６】
このように構成された第２の実施形態おける表示装置については、前述した第１の実施形態とほぼ同様にして組み付けが行われる。 
【００５７】
また本実施形態にあっては、ケース体４０の凹設部４３箇所に設けられた凸状の位置合わせ部４６ａに、導光体８０ａに設けた位置決め凹部８３ａを位置合わせしつつ組み付け保持することにより、組み付けの向きも誤ることなく適正な状態にてセットすることが可能となり、簡単に所定の位置に組み付け保持することができる。 
【００５８】
夜間などの照明時においては、導光体用光源９１が点灯すると、導光体８０ａの端部側に垂れ下がり形成された受光部８１ａを介して光が導光案内されるため、照明光線を導光体８０ａ内に効率よく案内することが可能となり、反射部８２ａを介して略平板状の導光体８０ａが比較的に明るく照らし出され表示板２０の背面から表示意匠部２１箇所を透過照明することができるものであり、また導光体用光源９１側に近い表示意匠部２１箇所においては、表示意匠部２１が列状に並んだインジケータ表示部２２の端部側に設けられた仕切り壁部４４ａと一体に遮光壁部４５を形成してなることにより、導光体用光源９１からの照射光線が遮光壁部４５にて遮られるために、インジケータ表示部２１の輝度ムラの発生を抑制することができ、均一的な照明効果を得ることができる。 
【００５９】
また遮光壁部４５と導光体８０ａとの間には、透き間Ｓ１が設けられており、この実施形態における透き間Ｓ１としては表示板２０の表示意匠部２１側へと反射導光する光線をさらに抑えるために、表示板２０の背面と遮光壁部４５の表面側との距離が漸次変化するように透き間Ｓ１の間隔を徐々に広がるように設定している。このため、透き間Ｓ１の間隔が広がることによって表示板２０の表示意匠部２１側への反射光線がさらに抑制され、部分的に明るくなりやすい箇所を抑えることができ、均一的な照明を行うことができる。 
【００６０】
また表示意匠部２１が列状に並んだインジケータ表示部２２の両側の端部側に設けられたケース体４０の仕切り壁部４４ａと一体に遮光壁部４５を形成することにより、前述した第１の実施形態と同様にして、表示装置７０を正面視したときに投影面積が従来に比べて狭いスペースにて設定することが可能となり、これにより表示装置７０のスペースをコンパクトに抑えつつ、個別に部品点数を追加することなく光量を制御する遮光壁部（遮光部材）を設けることができ、コストを抑えながら組み付け作業性も良好に行うことができる。 
【００６１】
なお本発明は、前記実施形態に限定されるものではなく本発明の要旨の範囲内において種々の変形実施が可能であり、例えば各実施形態においては、表示装置としてギアポジションを表示するインジケータ表示部を例にして説明していたが、例えば集中警報表示パネルによる表示装置において、種々の表示意匠部を列状に配してなるインジケータ表示部であっても良いものであり、また、インジケータ表示部の背後に配置される導光体としては無色透明な合成樹脂材料にて成形していたが、場合によっては、着色成形するようにしても良い。またケース体の仕切り壁部から一体に設けられる遮光壁部の張り出し寸法や配置する位置などは、仕切り壁部の形状や大きさなどに合わせて設定すれば良いものであり、加えて導光体の背面箇所と遮光壁部との間の透き間の間隔なども導光体用光源の設定位置や導光体用光源の光量などの条件に合わせて設定すれば良いものである。 
【産業上の利用可能性】
【００６２】
また、前述した実施形態において詳述したように、自動車における表示装置を例にして説明したが、車両用に限らず船舶用計器あるいは農業用機械や建設機械などの表示装置などにおいても適用することが可能であり、同様な効果を得ることができる。 
【符号の説明】
【００６３】
１０    指示計器 
１１    計器本体 
１２    指針軸 
１３    指針 
２０    表示板 
２１    表示意匠部 
２２    インジケータ表示部 
２３    表示部（指標部） 
３０    回路基板 
４０    ケース体 
４１    側壁部 
４２    水平壁部（載置面部） 
４３    凹設部 
４４，４４ａ    仕切り壁部 
４５    遮光壁部 
４６，４６ａ    位置合わせ部 
５０    上ケース 
５１    透視カバーパネル部材 
５２    見返しパネル部材 
６０    下ケース 
７０    表示装置 
８０，８０ａ    導光体 
８１，８１ａ    受光部 
８２，８２ａ    反射部 
８３    位置決め部 
８３ａ    位置決め凹部 
８４，８４ａ    凹凸部 
９０    インジケータ用光源 
９１    導光体用光源 
Ｓ，Ｓ１    透き間 
【図１】
0005510076.tif 000002
【図２】
0005510076.tif 000003
【図３】
0005510076.tif 000004
【図４】
0005510076.tif 000005
【図５】
0005510076.tif 000006
【図６】
0005510076.tif 000007